(57)【要約】【課題】ユーザが所望の情報を効率的に取得できるよう支援する。【解決手段】仲介サーバ１８は、依頼者装置１２から情報提供要求がなされた場合に、複数の提供者装置１４の中からその要求に応えうる特定の提供者装置１４を識別する。仲介サーバ１８は、特定の提供者装置１４へ情報提供要求を通知する。複数の提供者装置１４のそれぞれは、仲介サーバ１８から受け付けた情報提供要求を画面に表示してユーザに提示する。そして提供者装置１４は、ユーザにより指定された情報提供要求への回答を依頼者装置１２へ提供する。【選択図】図１
2016206802.tif 000002
【特許請求の範囲】
【請求項１】
依頼者の装置に対して情報を提供しうる複数の提供者の装置と、仲介装置と、を備え、
前記仲介装置は、
前記依頼者の装置から情報提供の要求がなされた場合に、複数の提供者の中から前記要求に応えうる特定の提供者を識別する依頼先識別部と、
前記特定の提供者の装置へ前記要求を通知する要求通知部と、を含み、
前記複数の提供者の装置のそれぞれは、
前記仲介装置から受け付けた要求を提供者が知覚可能な形式で出力する要求出力部と、
提供者により指定された前記要求への回答を前記依頼者の装置へ提供する回答提供部と、を含むことを特徴とする情報処理システム。
【請求項２】
前記仲介装置は、前記複数の提供者のそれぞれが提供可能な情報の属性に関する情報を保持し、
前記情報提供の要求は、情報の属性の指定を含むものであり、
前記仲介装置の依頼先識別部は、前記情報提供の要求で指定された属性の情報を提供可能な提供者を前記特定の提供者として識別することを特徴とする請求項１に記載の情報処理システム。
【請求項３】
前記情報提供の要求は、地理的な位置の指定を含むものであり、
前記仲介装置の依頼先識別部は、前記地理的な位置に存在する提供者を前記特定の提供者として識別することを特徴とする請求項１または２に記載の情報処理システム。
【請求項４】
前記依頼者の装置は、複数の提供者のそれぞれが存在する位置を地図上に表示する提供者情報表示部を含むことを特徴とする請求項１から３のいずれかに記載の情報処理システム。
【請求項５】
依頼者の装置に対して情報を提供しうる複数の情報提供装置と、仲介装置と、を備え、
前記仲介装置は、
前記依頼者の装置から情報提供の要求がなされた場合に、複数の情報提供装置の中から前記要求に応えうる特定の情報提供装置を識別する依頼先識別部と、
前記特定の情報提供装置へ前記要求を通知する要求通知部と、を含み、
前記複数の情報提供装置のそれぞれは、
周囲の環境の状態に関する情報である環境情報を取得する環境情報取得部と、
前記仲介装置から受け付けた要求に応じて、前記環境情報取得部により取得された環境情報のうち特定の環境情報を前記要求への回答として識別する回答識別部と、
前記回答識別部により識別された前記要求への回答を前記依頼者の装置へ提供する回答提供部と、を含むことを特徴とする情報処理システム。
【請求項６】
依頼者の装置と、複数の提供者の装置と、を備え、
前記依頼者の装置は、依頼者が入力した情報提供の要求を前記複数の提供者の装置へ通知する要求通知部を含み、
前記複数の提供者の装置のそれぞれは、
自装置または提供者が、前記依頼者の装置から受け付けた要求に応えるための条件を満たすか否かを判定する判定部と、
前記条件を満たす場合に、前記要求を提供者が知覚可能な形式で出力する要求出力部と、
提供者により指定された前記要求への回答を前記依頼者の装置へ提供する回答提供部と、を含むことを特徴とする情報処理システム。
【請求項７】
依頼者の装置と、複数の情報提供装置と、を備え、
前記依頼者の装置は、依頼者が入力した情報提供の要求を前記複数の情報提供装置へ通知する要求通知部を含み、
前記複数の情報提供装置のそれぞれは、
周囲の環境の状態に関する情報である環境情報を取得する環境情報取得部と、
自装置が、前記依頼者の装置から受け付けた要求に応えるための条件を満たすか否かを判定する判定部と、
前記条件を満たす場合に、前記要求に応じて、前記環境情報取得部により取得された環境情報のうち特定の環境情報を前記要求への回答として識別する回答識別部と、
前記回答識別部により識別された前記要求への回答を前記依頼者の装置へ提供する回答提供部と、を含むことを特徴とする情報処理システム。
【請求項８】
依頼者の装置から情報提供の要求がなされた場合に、複数の提供者の中から前記要求に応えうる特定の提供者を識別する依頼先識別部と、
前記特定の提供者の装置へ前記要求を通知することにより、前記特定の提供者の装置に、前記要求を提供者が知覚可能な形式で出力させ、提供者により指定された前記要求への回答を前記依頼者の装置へ提供させる要求通知部と、
を備えることを特徴とする情報処理装置。
【請求項９】
複数の提供者の中から、依頼者の装置から通知された情報提供の要求に応えうる特定の提供者を識別し、前記特定の提供者の情報処理装置へ前記要求を通知する仲介装置から前記要求を受け付ける要求受付部と、
受け付けた要求を提供者が知覚可能な形式で出力する要求出力部と、
提供者により指定された前記要求への回答を前記依頼者の装置へ提供する回答提供部と、
を備えることを特徴とする情報処理装置。
【請求項１０】
依頼者の装置から情報提供の要求がなされた場合に、周囲の環境の状態を示す情報である環境情報を取得する複数の情報提供装置の中から前記要求に応えうる特定の情報提供装置を識別する依頼先識別部と、
前記特定の情報提供装置へ前記要求を通知することにより、前記特定の情報提供装置に、取得した環境情報のうち前記要求に応じた特定の環境情報を前記要求への回答として識別させ、前記要求への回答を前記依頼者の装置へ提供させる要求通知部と、
を備えることを特徴とする情報処理装置。
【請求項１１】
周囲の環境の状態に関する情報である環境情報を取得する環境情報取得部と、
複数の情報処理装置の中から、依頼者の装置から通知された情報提供の要求に応えうる特定の情報処理装置を識別し、前記特定の情報処理装置へ前記要求を通知する仲介装置から前記要求を受け付ける要求受付部と、
受け付けた要求に応じて、前記環境情報取得部により取得された環境情報のうち特定の環境情報を前記要求への回答として識別する回答識別部と、
前記回答識別部により識別された前記要求への回答を前記依頼者の装置へ提供する回答提供部と、
を備えることを特徴とする情報処理装置。
【請求項１２】
依頼者の装置から情報提供の要求を受け付ける要求受付部と、
自装置または情報提供者が、前記要求に応えるための条件を満たすか否かを判定する判定部と、
前記条件を満たす場合に、前記要求を情報提供者が知覚可能な形式で出力する要求出力部と、
情報提供者により指定された前記要求への回答を前記依頼者の装置へ提供する回答提供部と、
を備えることを特徴とする情報処理装置。
【請求項１３】
周囲の環境の状態に関する情報である環境情報を取得する環境情報取得部と、
依頼者の装置から情報提供の要求を受け付ける要求受付部と、
自装置が、前記要求に応えるための条件を満たすか否かを判定する判定部と、
前記条件を満たす場合に、前記要求に応じて、前記環境情報取得部により取得された環境情報のうち特定の環境情報を前記要求への回答として識別する回答識別部と、
前記回答識別部により識別された前記要求への回答を前記依頼者の装置へ提供する回答提供部と、
を備えることを特徴とする情報処理装置。
【発明の詳細な説明】
【技術分野】
【０００１】
この発明は、データ処理技術に関し、特に情報処理システムおよび情報処理装置に関する。
【背景技術】
【０００２】
近年、スマートフォンやタブレット端末等、各種モバイル端末が広く普及している。本出願人は、通話の着信やメッセージの受信を契機に端末の位置情報を通知するモバイル端末の技術を提案している（例えば特許文献１参照）。
【先行技術文献】
【特許文献】
【０００３】
【特許文献１】特開２０１５−１２５１１号公報
【発明の概要】
【発明が解決しようとする課題】
【０００４】
現在、ユーザが所望の情報を得ようとする場合、検索サイト等を利用して所望の情報を提供しているであろうウェブサイトを自ら特定し、特定したウェブサイトへアクセスして情報を閲覧することが一般的である。その一方、ＰＣやモバイル端末をはじめ、ネットワークカメラやセンサ装置等、様々な機器がインターネットに接続されるＩｏＴ（Internet of Things）が進展している。本発明者は、ＩｏＴの進展を踏まえ、ユーザが所望の情報を取得することを支援する仕組みに改善の余地があると考えた。
【０００５】
本発明は、本発明者の上記認識にもとづきなされたものであり、主たる目的は、ユーザが所望の情報を効率的に取得できるよう支援する技術を提供することである。
【課題を解決するための手段】
【０００６】
上記課題を解決するために、本発明のある態様の情報処理システムは、依頼者の装置と、複数の提供者の装置と、仲介装置と、を備える。仲介装置は、依頼者の装置から情報提供の要求がなされた場合に、複数の提供者の中から要求に応えうる特定の提供者を識別する依頼先識別部と、特定の提供者の装置へ要求を通知する要求通知部と、を含む。複数の提供者の装置のそれぞれは、仲介装置から受け付けた要求を提供者が知覚可能な形式で出力する要求出力部と、提供者により指定された要求への回答を依頼者の装置へ提供する回答提供部と、を含む。
【０００７】
本発明の別の態様もまた、情報処理システムである。この情報処理システムは、依頼者の装置と、複数の情報提供装置と、仲介装置と、を備える。仲介装置は、依頼者の装置から情報提供の要求がなされた場合に、複数の情報提供装置の中から要求に応えうる特定の情報提供装置を識別する依頼先識別部と、特定の情報提供装置へ要求を通知する要求通知部と、を含む。複数の情報提供装置のそれぞれは、周囲の環境の状態に関する情報である環境情報を取得する環境情報取得部と、仲介装置から受け付けた要求に応じて、環境情報取得部により取得された環境情報のうち特定の環境情報を要求への回答として識別する回答識別部と、回答識別部により識別された要求への回答を依頼者の装置へ提供する回答提供部と、を含む。
【０００８】
本発明のさらに別の態様もまた、情報処理システムである。この情報処理システムは、依頼者の装置と、複数の提供者の装置と、を備える。依頼者の装置は、依頼者が入力した情報提供の要求を複数の提供者の装置へ通知する要求通知部を含む。複数の提供者の装置のそれぞれは、自装置または提供者が、依頼者の装置から受け付けた要求に応えるための条件を満たすか否かを判定する判定部と、条件を満たす場合に、要求を提供者が知覚可能な形式で出力する要求出力部と、提供者により指定された要求への回答を依頼者の装置へ提供する回答提供部と、を含む。
【０００９】
本発明のさらに別の態様もまた、情報処理システムである。この情報処理システムは、依頼者の装置と、複数の情報提供装置と、を備える。依頼者の装置は、依頼者が入力した情報提供の要求を複数の情報提供装置へ通知する要求通知部を含む。複数の情報提供装置のそれぞれは、周囲の環境の状態に関する情報である環境情報を取得する環境情報取得部と、自装置が、依頼者の装置から受け付けた要求に応えるための条件を満たすか否かを判定する判定部と、条件を満たす場合に、要求に応じて、環境情報取得部により取得された環境情報のうち特定の環境情報を要求への回答として識別する回答識別部と、回答識別部により識別された要求への回答を依頼者の装置へ提供する回答提供部と、を含む。
【００１０】
本発明のさらに別の態様は、情報処理装置である。この装置は、依頼者の装置から情報提供の要求がなされた場合に、複数の提供者の中から要求に応えうる特定の提供者を識別する依頼先識別部と、特定の提供者の装置へ要求を通知することにより、特定の提供者の装置に、要求を提供者が知覚可能な形式で出力させ、提供者により指定された要求への回答を依頼者の装置へ提供させる要求通知部と、を備える。
【００１１】
本発明のさらに別の態様もまた、情報処理装置である。この装置は、複数の提供者の中から、依頼者の装置から通知された情報提供の要求に応えうる特定の提供者を識別し、特定の提供者の情報処理装置へ要求を通知する仲介装置から要求を受け付ける要求受付部と、受け付けた要求を提供者が知覚可能な形式で出力する要求出力部と、提供者により指定された要求への回答を依頼者の装置へ提供する回答提供部と、を備える。
【００１２】
本発明のさらに別の態様もまた、情報処理装置である。この装置は、依頼者の装置から情報提供の要求がなされた場合に、周囲の環境の状態を示す情報である環境情報を取得する複数の情報提供装置の中から要求に応えうる特定の情報提供装置を識別する依頼先識別部と、特定の情報提供装置へ要求を通知することにより、特定の情報提供装置に、取得した環境情報のうち要求に応じた特定の環境情報を要求への回答として識別させ、要求への回答を依頼者の装置へ提供させる要求通知部と、を備える。
【００１３】
本発明のさらに別の態様もまた、情報処理装置である。この装置は、周囲の環境の状態に関する情報である環境情報を取得する環境情報取得部と、複数の情報処理装置の中から、依頼者の装置から通知された情報提供の要求に応えうる特定の情報処理装置を識別し、特定の情報処理装置へ要求を通知する仲介装置から要求を受け付ける要求受付部と、受け付けた要求に応じて、環境情報取得部により取得された環境情報のうち特定の環境情報を要求への回答として識別する回答識別部と、回答識別部により識別された要求への回答を依頼者の装置へ提供する回答提供部と、を備える。
【００１４】
本発明のさらに別の態様もまた、情報処理装置である。この装置は、依頼者の装置から情報提供の要求を受け付ける要求受付部と、自装置または情報提供者が、要求に応えるための条件を満たすか否かを判定する判定部と、条件を満たす場合に、要求を情報提供者が知覚可能な形式で出力する要求出力部と、情報提供者により指定された要求への回答を依頼者の装置へ提供する回答提供部と、を備える。
【００１５】
本発明のさらに別の態様もまた、情報処理装置である。この装置は、周囲の環境の状態に関する情報である環境情報を取得する環境情報取得部と、依頼者の装置から情報提供の要求を受け付ける要求受付部と、自装置が、要求に応えるための条件を満たすか否かを判定する判定部と、条件を満たす場合に、要求に応じて、環境情報取得部により取得された環境情報のうち特定の環境情報を要求への回答として識別する回答識別部と、回答識別部により識別された要求への回答を依頼者の装置へ提供する回答提供部と、を備える。
【００１６】
なお、以上の構成要素の任意の組合せ、本発明の表現を、方法、プログラム、プログラムを格納した記録媒体などの間で変換したものもまた、本発明の態様として有効である。
【発明の効果】
【００１７】
本発明によれば、ユーザが所望の情報を効率的に取得できるよう支援することができる。
【図面の簡単な説明】
【００１８】
【図１】第１実施形態の情報処理システムの構成を示す図である。
【図２】図１の依頼者装置と提供者装置の構成を示すブロック図である。
【図３】図１の情報提供装置の構成を示すブロック図である。
【図４】図１の仲介サーバの構成を示すブロック図である。
【図５】提供主体属性保持部に格納される情報提供主体の属性情報を示す図である。
【図６】第１実施形態の情報処理システムの動作を示すシーケンス図である。
【図７】第２実施形態の依頼者装置と提供者装置の構成を示すブロック図である。
【図８】第２実施形態の情報提供装置の構成を示すブロック図である。
【図９】提供者情報画面を示す図である。
【発明を実施するための形態】
【００１９】
まず概要を説明する。現在、所望の情報を得ようとするユーザは検索サイトを利用することが多い。検索サイトを利用する場合、ユーザは検索結果として提示された複数の情報提供主体（ウェブサイト等）の中から、所望の情報を提供しているであろう情報提供主体を自身で識別する必要があった。また、検索を経て得られる情報は、典型的には情報提供主体が事前に定めた内容であり、ユーザが所望する情報に合致しないこともあった。
【００２０】
そこで実施の形態の情報処理システムは、第１のユーザが、所望する情報の提供依頼を行い、その依頼に応えて、第２のユーザや情報提供機器が、第１のユーザが所望する情報そのものを提供する仕組みを実現する。例えば、第１のユーザがある場所の風景を見たいときに、第２のユーザにその風景の撮影を依頼し、第２のユーザから第１のユーザへ風景の画像や映像を転送する仕組みを実現する。これにより、ユーザが情報を得るための負担を低減し、また、そのユーザが所望する情報を効率的に得られるよう支援する。
【００２１】
まず第１の実施の形態（以下「第１実施形態」と呼ぶ。）として、情報提供依頼側と情報提供側とのデータ交換をサーバを介して実現する構成を説明する。続いて第２の実施の形態（以下「第２実施形態」と呼ぶ。）として、情報提供依頼側と情報提供側とがサーバを介さず直接データ交換を行う構成を説明する。
【００２２】
（第１実施形態）
図１は、第１実施形態の情報処理システム１０の構成を示す。情報処理システム１０は、依頼者装置１２、複数の提供者装置１４、複数の情報提供装置１６、仲介サーバ１８を備える。これらの各装置は、ＬＡＮ・ＷＡＮ・インターネット等を含む通信網２０を介して接続される。
【００２３】
依頼者装置１２は、情報提供を依頼する人（以下「依頼者」とも呼ぶ。）により操作される情報処理装置である。依頼者装置１２は例えばＰＣや、スマートフォン、タブレット端末であってもよい。提供者装置１４は、情報提供主体である人（以下「提供者」とも呼ぶ。）により操作される情報処理装置である。提供者装置１４は例えばスマートフォンやタブレット端末であってもよく、ＰＣやサーバ、センサ装置、ネットワーク（ＮＷ）カメラであってもよい。また提供者は個人に限らず、企業や施設でもよい。
【００２４】
情報提供装置１６は、人以外の情報提供主体としての機器であり、言い換えれば、基本的に人の介在なしに動作する機器であり、センサ装置やＮＷカメラを含む。センサ装置は、温度、湿度、風力、照度等、当該装置が設置された場所周辺の環境の状態を検出する装置である。センサ装置は、街中の環境状態を取得するセンサを含み、また、田畑に設置され、農作業用の環境情報を取得するセンサを含む。ＮＷカメラは、ウェブカメラ、リアルタイムカメラと言え、駅や街中、観光地等の様子・風景を示す写真や映像、音声を取得する。
【００２５】
仲介サーバ１８は、情報提供依頼者と情報提供主体とをマッチングし、仲介する情報処理装置である。具体的には、仲介サーバ１８は、依頼者装置１２から送信された情報提供依頼を、その依頼に応えうる特定の提供者装置１４または情報提供装置１６へ送信する。また、情報提供依頼に対して提供者装置１４および情報提供装置１６が提供したデータであり、すなわち情報提供依頼に対する回答を依頼者装置１２へ送信する。
【００２６】
図１では依頼者装置１２を１つ描いたが、情報処理システム１０は複数の依頼者装置１２を備えてもよい。また、実施の形態の情報提供サービスの利用者は、情報が必要な場合には依頼者となるが、その一方で他者が所望する情報を提供可能な提供者になることもある。すなわち、１つの情報端末が依頼者装置１２として動作する場合もあれば、提供者装置１４として動作する場合もある。
【００２７】
図２は、図１の依頼者装置１２と提供者装置１４の構成を示すブロック図である。本明細書の各ブロックは、ハードウェア的には、コンピュータのＣＰＵやメモリをはじめとする素子や電子回路、機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２８】
依頼者装置１２と提供者装置１４は、制御部３０、記憶部３２、ＬＣＤ３４、カメラ３６、通信部３８を備える。図２は、依頼者装置１２と提供者装置１４がスマートフォンやタブレット端末等のモバイル端末である場合の構成を示している。これらの装置がＰＣ等、据置型装置である場合、ディスプレイやカメラは外付け式であってもよい。図２の説明で依頼者装置１２と提供者装置１４を総称する場合「ユーザ端末」と呼ぶこととする。
【００２９】
制御部３０は、各種のデータ処理を実行し、ユーザ端末の動作を制御する。記憶部３２は、制御部３０により参照または更新されるデータを記憶する記憶領域である。制御部３０はプロセッサ（ＣＰＵやＧＰＵ等）により実現されてもよく、記憶部３２はメモリやストレージにより実現されてもよい。通信部３８は、様々な通信プロトコルにしたがって、通信網２０を介して外部装置と通信する。制御部３０は、通信部３８を介して外部装置と各種データを送受する。制御部、記憶部、通信部の基本的な機能は、情報提供装置１６、仲介サーバ１８においても同様である。
【００３０】
ＬＣＤ３４は、ユーザ端末の本体と一体化され、ユーザ端末におけるユーザインタフェースとなる液晶ディスプレイ（モニタ）である。ＬＣＤ３４は、タッチパネルの機能も備える。カメラ３６は、ユーザ端末の本体と一体化された撮像装置である。
【００３１】
記憶部３２は写真保持部４０を含む。写真保持部４０は、カメラ３６により撮像された様々な静止画や動画のデータを保持し、例えば写真のデータを保持する。実施の形態では、情報提供依頼の回答として、提供者装置１４から依頼者装置１２へ写真を提供することとするが、写真以外の種々のデータを提供してもよい。その場合、回答データは一旦記憶部３２に格納される。すなわち写真保持部４０は回答保持部の一例である。
【００３２】
制御部３０は、操作検出部４２、位置取得部４４、撮像部４６、依頼側処理部４８、提供側処理部５０を含む。操作検出部４２は、ＬＣＤ３４に入力されたユーザ（依頼者、提供者）による操作を検出する。撮像部４６は、ユーザの操作に応じてカメラ３６の撮像処理を制御し、カメラ３６が出力した画像データを写真保持部４０に格納する。
【００３３】
位置取得部４４は、自端末が現在存在する地理的な位置を取得する。位置取得部４４は、ＧＰＳやＷｉ−Ｆｉ（登録商標）のアクセスポイント、ビーコン装置との通信、接続された基地局情報等、公知の手法により、自端末の現在位置を取得してもよい。現在位置は、例えば、住居表示や地番、地図上の名称、ランドマークの名称、経度および緯度の少なくとも１つを示す情報であってもよい。
【００３４】
依頼側処理部４８は、情報提供を要求する側の情報処理、言い換えれば、依頼者のための情報処理を実行する。提供側処理部５０は、情報提供依頼に回答する側の情報処理、言い換えれば、提供者のための情報処理を実行する。実施の形態では、依頼側処理部４８および提供側処理部５０は、モバイル端末にインストールされた情報提供アプリケーションプログラム（以下「情報提供Ａｐｐ」と呼ぶ。）により実現される。
【００３５】
例えば、情報提供Ａｐｐは、ＳＤメモリカード等の所定の記録媒体に格納されて流通され、またはアプリサイトのサーバ等からダウンロードされてユーザ端末にインストールされる。そして、ユーザ端末のストレージに格納された情報提供Ａｐｐのプログラムをユーザ端末のプロセッサが実行することにより、ユーザ端末は、依頼側処理部４８および提供側処理部５０の機能を発揮する。依頼者装置１２では依頼側処理部４８の機能が使用され、提供者装置１４では提供側処理部５０の機能が使用される。
【００３６】
このように、実施の形態の情報提供Ａｐｐは、依頼側処理部４８と提供側処理部５０の両方の機能を含む。変形例として、依頼側処理部４８に対応するモジュールを含むアプリケーションと、提供側処理部５０に対応するモジュールを含むアプリケーションが別個に提供され、依頼者装置１２には前者がインストールされ、提供者装置１４には後者がインストールされてもよい。
【００３７】
依頼側処理部４８は、要求画面表示部５２、要求送信部５４、回答受付部５６、回答表示部５８を含む。要求画面表示部５２は、情報提供の依頼内容を入力するための画面である要求画面をＬＣＤ３４に表示させる。要求送信部５４は、要求画面に入力された依頼内容を示すデータである依頼データを仲介サーバ１８へ送信する。
【００３８】
依頼データでは以下の項目が任意に指定される。これらの項目は、依頼者が所望する情報に関する属性と言え、提供を依頼する情報に関する条件とも言える。
１）情報の種類：
情報の形式と言え、データ種別とも言える。例えば、写真、映像、音声、また温度や湿度、風力、照度等のセンサデータの中から１つ以上指定可能であってもよい。
【００３９】
２）地理的な位置・場所：
どこに関する情報かの指定である。例えば、住居表示や地番、地図上の名称（品川駅等）、ランドマークの名称、経度および緯度の中から指定可能であってもよい。
３）時間（日時）：
情報が示すコンテンツが記録された時間、言い換えれば、コンテンツが生成され、また取得された時間の指定である。任意の範囲の時間帯が指定されてもよい。この時間は時刻を含む概念である。また、日付も合わせて指定されてもよい。
【００４０】
例えば、品川駅の現在の混雑状況を知りたい依頼者は、要求画面において、１）写真、２）品川駅、３）現在を指定してもよい。また、特定の場所、特定の時間帯における環境状態を知りたい依頼者は、要求画面において、１）温度・湿度、２）佐賀県○○郡○○町○○、３）１０時〜１１時を指定してもよい。なお、依頼データでは、提供者の属性、例えば性別や年齢を指定することもできる。要求画面は、例示した上記の項目をはじめ、温度指定等、種々の依頼内容を汎用的に指定可能なユーザインタフェースである。典型的には要求画面において、情報の種類と地理的位置が指定されるが、その一方のみの指定であってもよく、その他の属性や条件が単独または組み合わせにて指定されてもよい。
【００４１】
回答受付部５６は、提供者装置１４および情報提供装置１６から送信され、仲介サーバ１８が転送した回答データを受信する。回答表示部５８は、回答受付部５６で受信された回答データをＬＣＤ３４に表示させる。
【００４２】
提供側処理部５０は、提供者属性通知部６０、要求受付部６２、要求出力部６４、回答指示受付部６６、回答提供部６８を含む。提供者属性通知部６０は、提供者または提供者装置１４に関する属性情報を仲介サーバ１８へ登録する。この属性情報は、提供者の性別、年齢、現在位置、提供可能情報を含む。現在位置は、位置取得部４４により取得された住居表示や地番、地図上の名称、ランドマークの名称、経度および緯度等を示す情報であってもよい。提供可能情報は、提供者または提供者装置１４が提供可能な情報の種類（写真、温度等）を示す情報である。
【００４３】
提供者属性通知部６０は、情報提供依頼Ａｐｐのインストール時に、提供者が入力した属性情報を仲介サーバ１８へ新規登録する。また提供者属性通知部６０は、位置取得部４４が新たな現在位置を検出するたびに、少なくとも新たな現在位置を含む属性情報を自動的に仲介サーバ１８へ送信し、それまでの属性情報を更新させる。
【００４４】
要求受付部６２は、依頼者装置１２から送信され、仲介サーバ１８が転送した依頼データを取得する。要求出力部６４は、要求受付部６２が取得した依頼データを提供者が知覚可能な形式で出力する。具体的には要求出力部６４は、依頼データが示す情報提供依頼の内容であり、例えば、提供が要求された情報種類、場所・位置、時間を示す情報をＬＣＤ３４に表示させる。
【００４５】
回答指示受付部６６は、提供者により入力された回答指示を受け付ける。回答指示受付部６６は、回答指示を入力するための画面であり、情報提供依頼に対する回答を入力し、もしくは指定するためのフィールドを備える回答指示入力画面をＬＣＤ３４に表示させる。例えば回答指示では、写真保持部４０に保持された特定の写真が回答データとして指定されてもよい。回答提供部６８は、回答指示入力画面に入力され、回答指示受付部６６が受け付けた回答指示で特定される回答データを仲介サーバ１８へ送信する。
【００４６】
図３は、図１の情報提供装置１６の構成を示すブロック図である。実施の形態の情報提供装置１６は情報処理の機能を備える。例えば、スマートセンサ、インテリジェントセンサ、スマートカメラ、インテリジェントカメラであってもよい。情報提供装置１６は、制御部７０、記憶部７２、環境情報取得部７４、通信部７６を備える。
【００４７】
環境情報取得部７４は、情報提供装置１６の周囲の環境の状態に関する情報（以下「環境情報」とも呼ぶ。）を取得する。環境情報は、所定の対象（周囲の自然等）における物理現象や物理状態の変化を示す情報と言える。例えば、情報提供装置１６がセンサ装置の場合、環境情報取得部７４は、環境情報として、センサにより検知された温度、湿度、風力、照度等を取得する。その一方、情報提供装置１６がＮＷカメラの場合、環境情報取得部７４は、環境情報として、所定の対象（周囲の自然等）の外観を示す画像や映像、また音声を取得する。
【００４８】
記憶部７２は環境情報保持部７８を含む。環境情報保持部７８は、環境情報取得部７４により取得された環境情報を保持し、例えば温度や風力等のデータ、画像データ等を保持する。
【００４９】
制御部７０は、環境情報記録部８０と提供側処理部８２を含む。環境情報記録部８０は、環境情報取得部７４により取得された環境情報を環境情報保持部７８へ格納する。提供側処理部８２は、情報提供依頼に回答する側の情報処理、言い換えれば、依頼者への情報提供処理を実行する。実施の形態では、提供側処理部８２は、情報提供装置１６にインストールされた情報提供Ａｐｐにより実現される。
【００５０】
例えば、情報提供Ａｐｐは、ＳＤメモリカード等の所定の記録媒体に格納されて流通され、またはアプリサイトのサーバ等からダウンロードされて情報提供装置１６にインストールされる。そして、情報提供装置１６のストレージやメモリに格納された情報提供Ａｐｐのプログラムを情報提供装置１６のＣＰＵが実行することにより、情報提供装置１６は提供側処理部８２の機能を発揮する。情報提供装置１６向けの情報提供Ａｐｐには、提供側処理部８２に対応するプログラムモジュールが実装される一方、図２で示した情報依頼側の機能は実装されない。
【００５１】
提供側処理部８２は、装置属性通知部８４、要求受付部８６、回答識別部８８、回答提供部９０を含む。装置属性通知部８４は、図２の提供者属性通知部６０に対応し、情報提供装置１６に関する属性情報を仲介サーバ１８へ登録する。装置属性通知部８４は、情報提供Ａｐｐのインストール時に、作業者の操作に応じて、自機の属性情報を仲介サーバ１８へ登録してもよい。なお、インストールを行った作業者が別端末から、情報提供装置１６の属性情報を仲介サーバ１８へ登録してもよい。
【００５２】
要求受付部８６は、依頼者装置１２から送信され、仲介サーバ１８が転送した依頼データを取得する。回答識別部８８は、要求受付部８６が受け付けた依頼データに応じて、環境情報取得部７４により取得され、環境情報保持部７８に格納された環境情報のうち特定の環境情報を回答データとして識別する。情報提供装置１６は、環境情報が取得される都度、その環境情報をそのまま依頼者装置１２へ提供するのではなく、回答識別部８８により依頼データに応じた回答を自律的に識別する。
【００５３】
回答識別部８８は、依頼データが示す回答の条件であり、具体的には情報種類・場所・時間等に応じて回答とすべき環境情報を識別する。例えば、依頼データがある場所の午前８時〜午前９時の温度を求めるものである場合、午前８時〜午前９時に取得されたその場所の温度データを回答として識別する。また、依頼データが現在の風景を求めるものである場合、現在もしくは現在から所定範囲内の時刻に取得されたその場所の画像データや映像データを回答として識別する。回答提供部９０は、回答識別部８８により識別された回答データを仲介サーバ１８へ送信する。
【００５４】
図４は、図１の仲介サーバ１８の構成を示すブロック図である。仲介サーバ１８は、制御部１００、記憶部１０２、通信部１０４を備える。記憶部１０２は提供主体属性保持部１１０を含む。提供主体属性保持部１１０は、情報提供者、提供者装置１４、情報提供装置１６（総称する場合「情報提供主体」と呼ぶ。）に関する属性情報を保持する。
【００５５】
図５は、提供主体属性保持部１１０に格納される情報提供主体の属性情報を示す。提供主体ＩＤは、情報処理システム１０において提供者装置１４、情報提供装置１６を一意に識別するためのユニークなＩＤである。性別、年齢は提供者の属性情報である。現在位置は、提供者装置１４、情報提供装置１６の現在位置を示す。提供者装置１４の現在位置は、提供者装置１４からの更新通知に応じて逐次更新される。
【００５６】
提供可能情報は、提供者装置１４、情報提供装置１６が提供可能な情報の種類を示す。アドレス情報は、依頼データを提供者装置１４、情報提供装置１６へ送信する際に使用する情報である。例えば、通信網２０において各装置を識別するためのネットワーク上のアドレスを示す情報であってもよく、また各装置固有の識別情報であってもよい。なお、記憶部１０２は、回答データを提供するために、依頼データを送信した依頼者装置１２のアドレス情報も保持する。
【００５７】
図４に戻り、制御部１００は、提供主体属性更新部１１２、要求受付部１１４、依頼先識別部１１６、要求転送部１１８、回答受付部１２０、回答転送部１２２を含む。提供主体属性更新部１１２は、提供者装置１４から送信された提供者または提供者装置１４の属性情報、および、情報提供装置１６から送信された情報提供装置１６の属性情報を提供主体属性保持部１１０に格納する。その際に、提供者装置１４および情報提供装置１６のアドレス情報も提供主体属性保持部１１０に格納する。
【００５８】
要求受付部１１４は、依頼者装置１２から送信された依頼データを取得する。依頼先識別部１１６は、要求受付部１１４で受け付けられた依頼データにしたがって、その依頼データの転送先、すなわち情報提供の依頼先を決定する。言い換えれば、依頼先識別部１１６は、複数の提供者（提供者装置１４）と複数の情報提供装置１６の中から、情報提供依頼に応えうる特定の提供者（提供者装置１４）と特定の情報提供装置１６を識別する。
【００５９】
依頼先識別部１１６は、提供主体属性保持部１１０に保持された情報提供主体の属性情報を参照し、依頼データで指定された条件に合致する情報提供主体を依頼先として識別する。例えば、依頼データで指定された情報種類に合致する提供可能情報が登録された情報提供主体であり、かつ、依頼データで指定された地理的な位置・場所に合致する現在位置が登録された情報提供主体を依頼先として識別する。依頼データが品川駅の写真を指定する場合、現在位置が品川駅で、かつ、提供可能情報に写真を含む情報提供主体を依頼先として識別する。なお、依頼データで提供者の属性（性別や年齢等）が指定された場合は、指定された属性との整合有無をさらに条件として依頼先を識別する。
【００６０】
依頼先識別部１１６は、依頼データで指定された地理的な位置・場所に存在する情報提供主体として、依頼データの指定位置から所定の近傍範囲（例えば半径数百メートル等）の中に存在する情報提供主体を識別する。この近傍範囲は、情報処理システム１０の開発者の知見や経験、情報処理システム１０を用いた実験により適切な値が設定されてよい。
【００６１】
要求転送部１１８は、要求受付部１１４で受け付けられた依頼データを、依頼先識別部１１６により識別された依頼先の装置へ送信する。回答受付部１２０は、提供者装置１４および情報提供装置１６から送信された回答データを取得する。回答転送部１２２は、回答受付部１２０で受け付けられた回答データを、その回答データに対応する依頼データを送信した依頼者装置１２へ送信する。なお、依頼データに対して払い出した依頼ＩＤを、仲介サーバ１８〜情報提供主体装置間で送受するデータに含めることで、回答データに対応する依頼データを特定してもよい。
【００６２】
以上の構成による第１実施形態の情報処理システム１０の動作を説明する。
図６は、情報処理システム１０の動作を示すシーケンス図である。依頼者装置１２において依頼者が情報提供Ａｐｐを起動し、情報提供依頼メニューを選択すると、依頼者装置１２の要求画面表示部５２は要求画面を表示させる（Ｓ２）。依頼者装置１２の要求送信部５４は、要求画面に入力された依頼情報を仲介サーバ１８へ送信する（Ｓ４）。仲介サーバ１８の依頼先識別部１１６は、依頼に対して回答を提供しうる情報提供主体として、依頼情報が示す条件に合致する情報提供主体を依頼先として識別する（Ｓ６）。ここでは、提供者装置１４ａ、提供者装置１４ｂ、センサ装置１６ａ、ＮＷカメラ１６ｂの中から、提供者装置１４ａとセンサ装置１６ａを依頼先に決定したこととする。
【００６３】
仲介サーバ１８の要求転送部１１８は、提供者装置１４ａとセンサ装置１６ａに依頼情報を送信する（Ｓ８）。提供者装置１４ａの要求出力部６４は、要求受付部６２が受信した依頼情報の内容を提供者へ提示する（Ｓ１０）。提供者は、依頼内容に応じて回答を用意する。例えば、依頼情報で指定された場所をカメラ３６で撮影する。提供者装置１４ａの回答指示受付部６６は、提供者による回答指示の入力を受け付け（Ｓ１２）。提供者装置１４ａの回答提供部６８は、回答指示で指定された回答情報を仲介サーバ１８へ送信する（Ｓ１４）。仲介サーバ１８の回答転送部１２２は、提供者装置１４ａから受け付けた回答情報を依頼者装置１２へ転送する（Ｓ１６）。
【００６４】
センサ装置１６ａの回答識別部８８は、環境情報取得部７４が取得した環境情報のうち、要求受付部８６で受信した依頼情報が示す条件に合致する部分を回答情報として識別する（Ｓ１８）。センサ装置１６ａの回答提供部９０は、環境情報保持部７８に格納された環境情報から回答識別部８８により識別された回答情報を抽出し、その回答情報を仲介サーバ１８へ送信する（Ｓ２０）。仲介サーバ１８の回答転送部１２２は、センサ装置１６ａから受け付けた回答情報を依頼者装置１２へ転送する（Ｓ２２）。なお、図６のＳ１０〜Ｓ１６の処理と、Ｓ１８〜Ｓ２２の処理は独立しており並行して実行される。図６には不図示だが、依頼者装置１２の回答表示部５８は、Ｓ１６およびＳ２２で仲介サーバ１８から受信した回答情報をＬＣＤ３４に表示させる。
【００６５】
このように第１実施形態の情報処理システム１０は、情報提供依頼に応えうる提供者装置１４、情報提供装置１６を自動で識別する。そして、それらの装置から依頼内容に応じて能動的に生成された回答を依頼者装置１２へ提供させる。これにより、依頼者に所望の情報を効率的に取得させることができる。
【００６６】
第１実施形態の変形例として、提供者装置１４および情報提供装置１６は、仲介サーバ１８を介さずに依頼者装置１２へ直接回答を送信してもよい。例えば、仲介サーバ１８は、依頼先の提供者装置１４および情報提供装置１６へ依頼情報とともに依頼者装置１２のアドレス情報を送信してもよい。依頼先の提供者装置１４および情報提供装置１６は、依頼者装置１２のアドレス情報と公知のＰ２Ｐ通信技術を使用して、依頼者装置１２へ回答情報を送信してもよい。
【００６７】
（第２実施形態）
第２実施形態では、依頼者装置１２と提供者装置１４、依頼者装置１２と情報提供装置１６が直接通信する。そのため第２実施形態の情報処理システム１０は、図１に示す構成から仲介サーバ１８を除外した構成になる。また、第１実施形態では仲介サーバ１８が依頼先の装置を決定した。第２実施形態ではこれに代えて、提供者装置１４と情報提供装置１６が、提供者または自装置が依頼者装置１２からの要求に応えうるか否かを自律的に判定する。第２実施形態の情報処理システム１０も、第１実施形態の情報処理システム１０と同様の効果を奏する。
【００６８】
図７は、第２実施形態の依頼者装置１２と提供者装置１４の構成を示すブロック図である。記憶部３２が自装置属性保持部４１を含み、提供側処理部５０が提供者属性通知部６０に代えて判定部６３を含む点で第１実施形態の構成とは異なる。以下、第１実施形態と重複する説明は省略し、異なる点を説明する。
【００６９】
自装置属性保持部４１は、提供者または自装置に関する属性情報を保持する。この属性情報は、図５で示したように性別、年齢、現在位置、提供可能情報を含み、情報提供Ａｐｐのインストール時に初期設定されてもよい。また、位置取得部４４により新たな現在位置が取得された場合、属性情報の現在位置はその新たな現在位置で更新される。
【００７０】
要求送信部５４は、要求画面に入力された依頼データを複数の提供者装置１４および複数の情報提供装置１６へ送信する。すなわち、第２実施形態では全ての提供者装置１４と情報提供装置１６へ依頼データを送信する。なお、装置間で通信するための各装置のアドレス情報は、依頼者装置１２、提供者装置１４、情報提供装置１６のそれぞれが予め保持することとする。回答受付部５６は、１つ以上の提供者装置１４および情報提供装置１６が自装置宛に送信した回答データを直接受信する。
【００７１】
要求受付部６２は、依頼者装置１２が送信した依頼データを直接受信する。判定部６３は、自装置または提供者が、要求受付部６２で受信された依頼データに応えるための条件を満たすか否かを判定する。具体的には、自装置属性保持部４１に保持された属性情報を参照し、その属性情報が依頼データで指定された条件に合致するか否かを判定する。例えば、属性情報が示す提供可能情報が、依頼データで指定された情報種類に合致するか否か、かつ、属性情報が示す現在位置が、依頼データで指定された地理的な位置・場所に合致するか否かを判定する。合致する場合、依頼データの条件を満たすと判定する。
【００７２】
依頼データが品川駅の写真を指定する場合、属性情報が示す現在位置が品川駅で、かつ、属性情報が示す提供可能情報に写真を含む場合に、依頼データの条件を満たすと判定する。なお、依頼データで提供者の属性（性別や年齢等）が指定された場合は、指定された属性との整合有無をさらに判定する。要求出力部６４は、判定部６３により依頼データに応えるための条件を満たすと判定された場合に、依頼データを提供者が知覚可能な形式で出力する。すなわち、自装置または提供者が依頼データに応えるための条件を満たさなければ、受信された依頼データを提供者へ提示することを抑制する。
【００７３】
判定部６３は、属性情報が示す現在位置が、依頼データで指定された地理的な位置・場所から所定の近傍範囲（例えば半径数百メートル等）内である場合に、依頼データの指定位置に合致すると判定する。後述の判定部８７も同様である。この近傍範囲は、情報処理システム１０の開発者の知見や経験、情報処理システム１０を用いた実験により適切な値が設定されてよい。
【００７４】
回答提供部６８は、提供者の回答指示で特定される回答データを依頼者装置１２へ直接送信する。例えば、依頼者装置１２のアドレス情報と公知のＰ２Ｐ通信技術を使用して、依頼者装置１２へ回答情報を送信してもよい。
【００７５】
図８は、第２実施形態の情報提供装置１６の構成を示すブロック図である。記憶部７２が自装置属性保持部７９を含み、提供側処理部８２が装置属性通知部８４に代えて判定部８７を含む点で第１実施形態の構成とは異なる。以下、第１実施形態と重複する説明は省略し、異なる点を説明する。
【００７６】
自装置属性保持部７９は、提供者装置１４の自装置属性保持部４１と同様に、情報提供装置１６に関する属性情報を保持する。この属性情報は、現在位置と提供可能情報を含み、情報提供Ａｐｐのインストール時に初期設定されてもよい。
【００７７】
要求受付部８６は、依頼者装置１２が送信した依頼データを直接受信する。判定部８７は、自装置が、要求受付部８６で受信された依頼データに応えるための条件を満たすか否かを判定する。具体的には、提供者装置１４の判定部６３と同様に、自装置属性保持部７９に保持された属性情報を参照し、その属性情報が依頼データで指定された条件に合致するか否かを判定する。
【００７８】
回答識別部８８は、自装置が依頼データに応えるための条件を満たすと判定部８７により判定された場合に、第１実施形態で記載の回答識別処理を実行する。回答提供部９０は、回答データを依頼者装置１２へ直接送信する。
【００７９】
以上の構成による第２実施形態の情報処理システム１０の動作を説明する。ここでは、図６を参照し、第１実施形態の動作と異なる点を説明する。Ｓ４において、依頼者装置１２の要求送信部５４は、提供者装置１４ａ、提供者装置１４ｂ、センサ装置１６ａ、ＮＷカメラ１６ｂのそれぞれへ依頼情報を送信する。提供者装置１４ａ、提供者装置１４ｂ、センサ装置１６ａ、ＮＷカメラ１６ｂそれぞれの判定部６３（判定部８７）は、提供者または自装置が依頼情報が示す条件を満たすか否かを判定する。
【００８０】
ここでは、提供者装置１４ａとセンサ装置１６ａにおいて依頼情報の条件を満たすと判定されたとする。提供者装置１４ａは、Ｓ１０、Ｓ１２を実行し、Ｓ１４において、依頼者装置１２へ回答情報を送信する。センサ装置１６ａは、Ｓ１８を実行し、Ｓ２０において、依頼者装置１２へ回答情報を送信する。依頼者装置１２の回答表示部５８は、提供者装置１４ａとセンサ装置１６ａのそれぞれから並行して送信された回答情報を依頼者へ提示する。
【００８１】
以上、本発明を第１および第２の実施の形態をもとに説明した。これらの実施の形態は例示であり、各構成要素や各処理プロセスの組合せにいろいろな変形例が可能なこと、またそうした変形例も本発明の範囲にあることは当業者に理解されるところである。以下変形例を説明する。
【００８２】
第１変形例を説明する。依頼者装置１２の要求画面表示部５２は、複数の提供者（提供者装置１４）のそれぞれが存在する位置を地図上に表示する提供者情報表示部としての機能を含んでもよい。具体的には、本変形例の要求画面表示部５２は、要求画面の１つとして、依頼者が提供依頼可能な情報の種類と位置を地図上に重畳して示す提供者情報画面を表示させる。提供者情報画面において依頼者が特定の提供主体画像を選択すると、その選択に応じた情報提供主体が依頼者へ回答を提供する。この態様によると、依頼者は所望の情報の種類・場所を直感的に指定することができ、情報提供依頼の入力を簡便化することができる。
【００８３】
図９は提供者情報画面を示す。提供者情報画面１３０は、地図上に、提供主体画像１３１〜提供主体画像１３６の６つを配置している。例えば、提供主体画像１３１、提供主体画像１３３、提供主体画像１３５は、複数の提供者装置１４を示す画像であり、それぞれの提供可能情報が写真であることを示している。また提供主体画像１３２、提供主体画像１３４、提供主体画像１３６は、複数の情報提供装置１６を示す画像であり、各装置が提供可能な情報を示している。
【００８４】
依頼者装置１２に提供者情報画面１３０を表示させるために、第１実施形態の情報処理システム１０では、仲介サーバ１８が、提供主体属性保持部１１０に保持する提供者装置１４、情報提供装置１６の属性情報を依頼者装置１２へ提供してもよい。また第２実施形態の情報処理システム１０では、複数の提供者装置１４と複数の情報提供装置１６のそれぞれが自装置の属性情報を依頼者装置１２へ提供してもよい。この属性情報は、例えば提供主体ＩＤ、現在位置、提供可能情報を含む。属性情報は定期的に提供されてもよく、提供者情報画面１３０の表示時に依頼者装置１２の要求に応じて提供されてもよい。
【００８５】
第１実施形態の情報処理システム１０では、提供者情報画面１３０において依頼者が特定の提供主体画像を選択した場合、依頼者装置１２の要求送信部５４は、選択された提供主体画像が示す情報提供主体を指定した依頼データを仲介サーバ１８へ送信する。仲介サーバ１８は、依頼データで特定の情報提供主体が指定されている場合、その情報提供主体に対して依頼データを転送する。
【００８６】
また仲介サーバ１８は、指定された情報提供主体の現在位置から所定範囲（半径数百メートル等）内に存在する他の情報提供主体に対しても依頼データを転送してもよい。ただし、他の情報提供主体の提供可能情報が、依頼データで指定された情報提供主体の提供可能情報を含むことを条件とする。例えば、依頼者が図９の提供主体画像１３３を選択した場合、提供主体画像１３３が示す提供者装置１４に加えて、図９の提供主体画像１３１が示す提供者装置１４へ依頼データを転送してもよい。これにより、依頼者へ所望の情報が提供される可能性を高めることができる。
【００８７】
第２実施形態の情報処理システム１０では、提供者情報画面１３０において依頼者が特定の提供主体画像を選択した場合、依頼者装置１２の要求送信部５４は、選択された提供主体画像が示す提供者装置１４または情報提供装置１６へ依頼データを送信する。この依頼データでは提供主体ＩＤが指定されてよく、依頼データを受信した提供者装置１４または情報提供装置１６は、依頼データで指定された提供主体ＩＤにより自装置が回答すべきことを識別してもよい。
【００８８】
また、依頼者装置１２の要求送信部５４は、選択された情報提供主体の現在位置から所定範囲（半径数百メートル等）内に存在する他の情報提供主体に対しても依頼データを送信してもよい。さらにまた、依頼者装置１２の要求送信部５４は、選択された情報提供主体の現在位置と提供可能情報を指定した依頼データを、複数の提供者装置１４および情報提供装置１６へ送信してもよい。これにより、依頼者へ所望の情報が提供される可能性を高めることができる。
【００８９】
第２変形例を説明する。依頼者装置１２の要求画面では、情報提供に対する報酬支払の有無および報酬額を指定可能であってもよい。すなわち、無償での情報提供と有償での情報提供のいずれも指定可能であってもよい。依頼者装置１２の要求送信部５４は、報酬の有無を含む依頼データを送信する。
【００９０】
依頼データで有償での情報提供が指定された場合、第１実施形態の仲介サーバ１８の依頼先識別部１１６は、依頼先として識別する情報提供主体の範囲を拡大してもよい。また第２実施形態の提供者装置１４（情報提供装置１６）の判定部６３（判定部８７）は、自装置が依頼条件を満たすと判定する基準を緩和してもよい。例えば、依頼データの指定位置に合致すると判定する近傍範囲を、有償時は無償時より拡大してもよい。無償時の近傍範囲が半径１００メートルである場合、有償時には半径３００メートルに拡大してもよい。情報提供への対価が支払われる場合、情報提供依頼に回答するインセンティブが高まると考えられるからである。
【００９１】
なお、依頼者から提供者または情報提供装置１６の所有者に対する情報提供料の支払は、公知技術により実現されてよい。仲介サーバ１８は、情報提供料支払のための情報であり、例えば金融機関での振込のために必要な情報（依頼者および提供者の口座番号等）を予め保持してもよい。そして依頼者装置１２へ回答を転送した場合や、依頼者が回答を承認した旨の情報を依頼者装置１２から受け付けた場合等、予め定められたタイミングで、金融機関の装置と連携して情報提供料の支払処理を実行してもよい。
【００９２】
第３変形例を説明する。既述したように、依頼データでは、どの時間（時刻）の情報を依頼するかを指定できる。第１実施形態の仲介サーバ１８の依頼先識別部１１６は、依頼データで将来の時間が指定された場合、その時間になるまで仲介サーバ１８が依頼データを保持し、その時間に到達した際の各情報提供主体の現在位置に応じて依頼先を識別してもよい。なお依頼データの指定時間の所定時間前（例えば３０分前等）に依頼先を識別してもよい。依頼データで指定された位置までの移動時間が必要だからである。
【００９３】
同様に、第２実施形態の提供者装置１４（情報提供装置１６）の判定部６３（判定部８７）は、依頼データで将来の時間が指定された場合、その時間に到達した際の自装置の現在位置に応じて自装置が依頼条件を満たすか否かを判定してもよい。また依頼データの指定時間の所定時間前にこの判定処理を実行してもよい。本変形例の態様によると、情報提供依頼で指定された時間に、指定された位置の近傍に存在する情報提供主体に依頼を提示でき、すなわち回答する可能性が高い情報提供主体に依頼を提示することができる。
【００９４】
第４変形例を説明する。既述したように、依頼データでは、どの時間（時刻）の情報を依頼するかを指定できる。第１実施形態の仲介サーバ１８の依頼先識別部１１６は、依頼データで将来時間が指定された場合、その時間に至るまでの間に複数回、依頼先を決定してもよい。これに伴い、要求転送部１１８は、複数回依頼データを送信してもよい。依頼先識別部１１６は、依頼データの指定時間に近づくほど、依頼先として識別する情報提供主体の範囲を狭めてもよい。例えば、依頼データの指定位置に合致すると判定する距離範囲を狭めてもよく、１回目の依頼先識別時は半径５００メートル、２回目の依頼先識別時は半径２００メートルとしてもよい。
【００９５】
同様に、第２実施形態の提供者装置１４（情報提供装置１６）の判定部６３（判定部８７）は、依頼データで将来の時間が指定された場合、その時間に至るまでの間に複数回、自装置が依頼条件を満たすか否かを判定してもよい。判定部６３（判定部８７）は、依頼データの指定時間に近づくほど、自装置が依頼条件を満たすと判定する基準を厳しくしてもよい。例えば、依頼データの指定位置に合致すると判定する距離範囲を狭めてもよい。
【００９６】
依頼データの指定時間までの残り時間が長ければ、現時点では指定位置から離れている情報提供主体であっても、その指定時間に指定位置に存在する可能性がある。その一方、依頼データの指定時間までの残り時間が短ければ、現時点で指定位置の近傍にいなければ、その指定時間に指定位置に存在する可能性は低いと考えられる。本変形例によると、依頼データの指定時間までの残り時間に応じて、回答可能性がある情報提供主体を識別し、また、回答処理を実行させることができる。
【００９７】
第５変形例を説明する。第１実施形態の仲介サーバ１８の依頼先識別部１１６は、依頼データで将来時間が指定された場合、その指定時間までの残り時間が長いほど、依頼先として識別する情報提供主体の範囲を拡大してもよい。また、第２実施形態の提供者装置１４（情報提供装置１６）の判定部６３（判定部８７）は、上記残り時間が長いほど、自装置が依頼条件を満たすと判定する基準を緩和してもよい。また、本変形例の処理は、有償の情報提供が指定された場合にのみ実行してもよい。情報提供への対価が支払われる場合、情報提供依頼に回答するインセンティブが高まるため、多くの情報提供主体に依頼することで回答を得やすいからである。
【００９８】
第６変形例を説明する。上記実施の形態では、依頼側処理部４８、提供側処理部５０の機能を情報提供Ａｐｐが実現することとした。変形例として、依頼側処理部４８、提供側処理部５０の機能は、依頼者装置１２および情報提供装置１６が備える汎用的なウェブブラウザにより実現されてもよい。例えば、仲介サーバ１８は、依頼側処理部４８の機能を含むウェブページデータを情報処理装置（スマートフォン等）へ提供し、情報処理装置のウェブブラウザで処理（表示等）させることにより、当該情報処理装置を依頼者装置１２として機能させてもよい。
【００９９】
同様に仲介サーバ１８は、提供側処理部５０の機能を含むウェブページデータを情報処理装置へ提供し、情報処理装置のウェブブラウザで処理（表示等）させることにより、当該情報処理装置を提供者装置１４として機能させてもよい。なお、依頼側処理部４８、提供側処理部５０内の各ブロックの機能は、適宜ＪａｖａＳｃｒｉｐｔ（登録商標）により実装されてもよい。本変形例によると、情報処理装置への情報提供Ａｐｐ導入という負担を課すことなく、ユーザに情報提供サービスを享受させることができる。
【０１００】
第７変形例を説明する。第１実施形態にて一部既述したが、仲介サーバ１８の提供主体属性保持部１１０は、複数の提供者（提供者装置１４）および複数の情報提供装置１６のそれぞれが提供可能な情報の属性に関する情報を保持する。依頼者装置１２から送信される情報提供の依頼データは、依頼者が所望する情報の属性の指定を含む。仲介サーバ１８の依頼先識別部１１６は、依頼データで指定された属性に合致する情報を提供可能な特定の提供者（提供者装置１４）および情報提供装置１６を依頼データの転送先、すなわち情報提供の依頼先として決定する。
【０１０１】
仲介サーバ１８の提供主体属性保持部１１０は、提供者（提供者装置１４）や情報提供装置１６が提供可能な情報の属性として、写真やセンサデータ（温度や湿度等）等のカテゴリよりもさらに詳細な情報（ここでは「詳細属性」と呼ぶ。）を保持してもよい。詳細属性として例えば、花の写真（さらに具体的にバラの写真）、特定のランドマークのライブ映像（例えば東京タワーのライブ映像）、富士山頂の温度等を示す情報を保持してもよい。この場合、依頼データは、花の写真や、特定のランドマークのライブ映像を指定するが、明示的な位置の指定を含まなくてもよい。仲介サーバ１８の依頼先識別部１１６は、依頼データで詳細属性が指定された場合、その詳細属性に整合する情報を提供可能な提供者（提供者装置１４）および情報提供装置１６を依頼先として識別する。
【０１０２】
また、第２実施形態にて一部既述したが、複数の提供者装置１４の自装置属性保持部４１および複数の情報提供装置１６の自装置属性保持部７９は、自装置が提供可能な情報の属性に関する情報を保持する。依頼者装置１２から送信される情報提供の依頼データは、依頼者が所望する情報の属性の指定を含む。複数の提供者装置１４の判定部６３および複数の情報提供装置１６の判定部８７は、依頼データで指定された属性に合致する情報を自装置が提供可能な場合に、依頼データの条件を満たすと判定する。
【０１０３】
この場合、自装置属性保持部４１および自装置属性保持部７９は、提供可能情報の詳細属性を保持してもよい。依頼データは、提供を依頼する情報の詳細属性を指定するが、明示的な位置の指定を含まなくてもよい。判定部６３および判定部８７は、依頼データで詳細属性が指定された場合、その詳細属性に整合する情報を提供可能であるときに依頼データの条件を満たすと判定する。
【０１０４】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【符号の説明】
【０１０５】
１０  情報処理システム、  １２  依頼者装置、  １４  提供者装置、  １６  情報提供装置、  １８  仲介サーバ、  ６３  判定部、  ６４  要求出力部、  ６８  回答提供部、  ７４  環境情報取得部、  ８７  判定部、  ８８  回答識別部、  ９０  回答提供部、  １１６  依頼先識別部。
【図１】
2016206802.tif 000003
【図２】
2016206802.tif 000004
【図３】
2016206802.tif 000005
【図４】
2016206802.tif 000006
【図５】
2016206802.tif 000007
【図６】
2016206802.tif 000008
【図７】
2016206802.tif 000009
【図８】
2016206802.tif 000010
【図９】
2016206802.tif 000011